(57)【要約】【課題】  逆止弁（吸込弁及び吐出弁）へ脂成分などが蓄積され難く、また、短時間で簡単に呼び水の汲み上げを行うことができ、しかも、一般家庭における風呂場に容易に設置できるコンパクトな浴槽用循環濾過装置を提供する。【解決手段】  浴槽の貯め湯を循環させる循環ポンプと該循環ポンプによって循環する貯め湯を濾過する濾過部と該循環ポンプへ呼び水を汲み上げる手動ポンプ機構とを備えた浴槽用循環濾過装置において、前記手動ポンプ機構を濾過部の下流側に設けると共に、該手動ポンプ機構において本体部を伸縮させるハンドルに支点を設けると共に本体部を伸縮動させる作用点を設ける。【選択図】  図２
2006075737.tif 000002
【特許請求の範囲】
【請求項１】
浴槽の貯め湯を循環させる循環ポンプと該循環ポンプによって循環する貯め湯を濾過する濾過部と該循環ポンプへ呼び水を汲み上げる手動ポンプ機構とを備えた浴槽用循環濾過装置において、前記手動ポンプ機構が濾過部の下流側に設けられていることを特徴とする浴槽用循環濾過装置。
【請求項２】
手動ポンプ機構が、中空に形成された伸縮性を有する本体部と該本体部を伸縮させるハンドルと該本体部の伸縮に伴って開閉する吸込弁及び吐出弁とを備えており、前記ハンドルには一端側に位置付けられた支点と中間に位置付けられた本体部を伸縮動させる作用点とが設けられている請求項１記載の浴槽用循環濾過装置。
【請求項３】
手動ポンプ機構が、中空に形成された伸縮性を有する本体部と該本体部を伸縮させるハンドルと該本体部の伸縮に伴って開閉する吸込弁及び吐出弁とを備えており、前記ハンドルには中間に位置付けられた支点と一端側に位置付けられた本体部を伸縮動させる作用点とが設けられている請求項１記載の浴槽用循環濾過装置。
【請求項４】
手動ポンプ機構の本体部が蛇腹状になっている請求項２又は３記載の浴槽用循環濾過装置。
【発明の詳細な説明】
【技術分野】
【０００１】
本発明は、浴槽用循環濾過装置、特に、一般家庭における風呂場に最適の浴槽用樹循環濾過装置に関するものである。
【背景技術】
【０００２】
周知の通り、一般家庭における風呂場に設置されている小さい浴槽で入浴する場合には、一人ずつ交代で入浴する必要があり、入浴の順番が後になるにほど浴槽の貯め湯が汚れてしまうため、入浴の順番を問わず何時でも清潔な貯め湯を使用することができるように該貯め湯を循環させて濾過する浴槽用循環濾過装置が多数開発されている。
【０００３】
例えば、後出特許文献１には、浴湯を循環させるポンプと、浴湯の浄化を行う濾過タンクと、同濾過タンクに接続した浴湯給水パイプ及び浴湯吐水パイプとよりなる濾過装置において、浴槽内に伸延した浴湯給水パイプの中途部に、呼び水を行う手動用のポンプを設けた浴槽の濾過装置構造が開示されている。
【０００４】
また、後出特許文献２には、少なくとも循環パイプとポンプと水処理装置と温度調整装置とを有する循環温浴器に設けられた吸入装置と吐出装置とからなる循環温浴器の吸入吐出装置であって、この吸入装置は循環パイプの一端部と連通連結された呼び水吸入ポンプからなり、当該呼び水吸水ポンプが開口部を有する吸入部材と、この吸入部材と吸入パイプを介して一端部が連通連結された逆止弁装置と、この逆止弁装置の他端部と連通連結された接続パイプとからなる呼び水吸入ポンプであって、前記逆止弁装置が中空で可撓性の逆止弁収納部材とこの逆止弁収納部材内の前記吸入パイプ方向の一端部と前記接続パイプ方向の他端部とにそれぞれ設けられた逆止弁とからなる循環温浴器の吸入吐出装置が開示されている。
【０００５】
しかし、前記特許文献１記載の浴槽の濾過装置構造や前記特許文献２記載の循環温浴器の吸入吐出装置においては、いずれも濾過部によって濾過される前の貯め湯が手動ポンプ機構を通過する構成を採用しているため、吸水パイプの先端部分に設置されたフィルタによって除去することができない貯め湯に含まれる人体の脂成分などが逆止弁（吸込弁及び吐出弁）へ徐々に蓄積されて目詰まりを起こしてしまうという問題点があった。また、手動ポンプ機構として把持式のものを採用しているため、一度に大量の呼び水を汲み上げることができず、循環ポンプを呼び水で満たすためには何度も把持動作を繰り返す必要があり、長時間を要するという問題点もあった。
【特許文献１】実公平７−１１７７３号公報（第１頁、図１）
【特許文献２】特公平６−４０９３５号公報（第１頁、図１）
【発明の開示】
【発明が解決しようとする課題】
【０００６】
そこで、本発明は、逆止弁（吸込弁及び吐出弁）へ脂成分などが蓄積され難く、また、短時間で簡単に呼び水の汲み上げを行うことができ、しかも、一般家庭における風呂場に容易に設置できるコンパクトな浴槽用循環濾過装置を提供することを技術的課題として、その具現化をはかるべく研究・実験を重ねた結果、浴槽の貯め湯を循環させる循環ポンプと該循環ポンプによって循環する貯め湯を濾過する濾過部と該循環ポンプへ呼び水を汲み上げる手動ポンプ機構とを備えた浴槽用循環濾過装置において、前記手動ポンプ機構を濾過部の下流側に設けると共に、該手動ポンプ機構において本体部を伸縮させるハンドルに支点を設けると共に本体部を伸縮動させる作用点を設ければ、逆止弁に脂成分などが蓄積され難く、かつ、短時間で簡単に呼び水の汲み上げを行うことができ、しかも、装置自体のコンパクト化が可能となるという刮目すべき知見を得、前記技術的課題を達成したものである。
【課題を解決するための手段】
【０００７】
前記技術的課題は、次の通りの本発明によって解決できる。
【０００８】
即ち、本発明に係る浴槽用循環濾過装置は、浴槽の貯め湯を循環させる循環ポンプと該循環ポンプによって循環する貯め湯を濾過する濾過部と該循環ポンプへ呼び水を汲み上げる手動ポンプ機構とを備えた浴槽用循環濾過装置において、前記手動ポンプ機構が濾過部の下流側に設けられているものである。
【０００９】
また、本発明は、前記浴槽用循環濾過装置において、手動ポンプ機構が、中空に形成された伸縮性を有する本体部と該本体部を伸縮させるハンドルと該本体部の伸縮に伴って開閉する吸込弁及び吐出弁とを備えており、前記ハンドルには一端側に位置付けられた支点と中間に位置付けられた本体部を伸縮動させる作用点とが設けられているものである。
【００１０】
また、本発明は、前記記浴槽用循環濾過装置において、手動ポンプ機構が、中空に形成された伸縮性を有する本体部と該本体部を伸縮させるハンドルと該本体部の伸縮に伴って開閉する吸込弁及び吐出弁とを備えており、前記ハンドルには中間に位置付けられた支点と一端側に位置付けられた本体部を伸縮動させる作用点とが設けられているものである。
【００１１】
また、本発明は、前記いずれかの浴槽用循環濾過装置において、手動ポンプ機構の本体部が蛇腹状になっているものである。
【００１２】
また、本発明に係る浴槽用循環濾過装置の他の実施の形態としては、循環ポンプがバッテリによって電力を供給されて駆動するものである
【発明の効果】
【００１３】
本発明によれば、濾過部の下流側に手動ポンプ機構を設けたので、濾過部を通過して脂成分等が取り除かれた貯め湯を手動ポンプ機構に設けられた逆止弁（吸込弁及び吐出弁）に通過させることができ、当該逆止弁の目詰まりを防止することができる。
【００１４】
また、本発明によれば、手動ポンプ機構において、本体部を伸縮させるハンドルに支点を設けると共に本体部を伸縮動させる作用点を設けたので、ハンドルを往復させると、梃子の原理によって僅かな力で多くの呼び水を汲み上げることができるため、効率的に作業を行うことができる。
【００１５】
また、本発明によれば、循環濾過装置自体をコンパクト化できる。
【００１６】
従って、本発明の産業上利用性は非常に高いといえる。
【発明を実施するための最良の形態】
【００１７】
以下、本発明の実施の形態を図面に基づき説明する。
【００１８】
実施の形態１．
【００１９】
図１は本実施の形態に係る浴槽用循環濾過装置の設置状態を示す斜視図である。図２は図１に示す浴槽用循環濾過装置の本体ケース内部を示した分解斜視図である。図３は図１に示す浴槽用循環濾過装置の循環ポンプと濾過部とを示した説明図である。図４は図１に示す浴槽用循環濾過装置の他方の濾過タンクと手動ポンプ機構とを示した説明図である。これらの図において、１は、浴槽２の縁部に設置された浴槽用循環濾過装置であり、浴槽用循環濾過装置１には、浴槽２から装置１内へ貯め湯を送るための吸水パイプ３と、装置１内から浴槽２へ濾過した貯め湯を送るための排水パイプ４とが接続されている。
【００２０】
浴槽用循環濾過装置１は、図２に示すように、吸水パイプ３を介して浴槽２から装置１へ送られる貯め湯を循環させる循環ポンプ５と、循環ポンプ５へ電力を供給するバッテリ６と、循環ポンプ５から送られる貯め湯を濾過する濾過部７と、濾過部７と排水パイプ４との間に介在する手動ポンプ機構８とから構成されており、これらの部材が本体ケース９に収納されている。
【００２１】
本体ケース９は、底側に各パイプを通過させることができるスペースを備えた台座１０と、台座１０を挟むように固定される前・後パネル１１，１２と、前・後パネル１１，１２を合わせることによって形成される天板１３を覆うように固定される蓋体１４とから構成されており、前パネル１１には、装置１を操作するための操作パネル１５が設置される。
【００２２】
循環ポンプ５は、図３に示すように、本体ケース９の台座１０上に設置されており、底面に設けられた吸水口１６を台座１０の底側スペースへ突出させている。なお、台座１０の底側スペースへ突出した吸水口１６には、浴槽２へ伸びる吸水パイプ３が連通されている。また、循環ポンプ５には、側面に排水口１７が設けられており、排水口１７には、濾過部７へ伸びる連結パイプ１８が連通されている。循環ポンプ５としては、マグネットポンプ（揚水量１０Ｌ／分）などを使用すればよい。
【００２３】
バッテリ６（電圧１２Ｖ）は、図２に示すように、本体ケース９の天板１３に設置されたボックス１９に収納されており、ボックス１９は、循環ポンプ５の上方に位置付けられている。そして、バッテリ６から循環ポンプ５や操作パネル１５へ電力を供給できるように配線がなされている。なお、商用電源ではなくバッテリ６を使用しているので風呂場内・外の配線を使用しないから、漏電や感電の心配がない。また、循環ポンプ５が交流である場合にはインバーターを使用して直流を交流に変換すればよい。また、循環ポンプ５が交流で動作する場合には、バッテリ６は直流であるため、インバーターを用いて交流に変換した後に循環ポンプ５に電力を供給すればよい。
【００２４】
濾過部７は、並列された一対の濾過タンク１９ａ，１９ｂによって構成されており、両濾過タンク１９ａ，１９ｂは、カップ状の外装ケース２０と、外装ケース２０の開口部２１にネジ止めされるキャップ２２と、外装ケース２０に収納される濾過材２３とから構成されている。なお、一対の濾過タンク１９ａ，１９ｂは、それぞれの外装ケース２０のキャップ２０がネジ止めされた開口部２１の下側周面から鍔状に迫り出した連結板２４を介して一体になっている。そして、濾過部１０は、連結板２４を天板１３に固定して本体ケース９に設置されている。
【００２５】
一方の濾過タンク１９ａには、外装ケース２０の下部側面に吸水口２５が設けられており、吸水口２５には、循環ポンプ５の排水口１７から伸びる連結パイプ１８が連通されている。また、外装ケース２０の上部側面に排水口２６が設けられており、排水口２６には、他方の濾過タンク１９ｂへ伸びる連結パイプ２７が連通されている。
【００２６】
他方の濾過タンク１９ｂには、外装ケース２０の上部側面に吸水口２８が設けられており、吸水口２８には、一方の濾過タンク１９ａから伸びる連結パイプ２７が連通されている。また、外装ケース２０の底面に設けられた排水口２９を台座１０の底側スペースへ突出させており、排水口１０には、手動ポンプ８へ伸びる連結パイプ３０が連通されている。
【００２７】
濾過材２３は、外装ケース２０に納まる円柱状に形成されており、上部に着脱可能な把手３１がネジ止めされている。濾過材２３の素材としては、雑菌や塩素を除去する銀入りの繊維活性炭、遠赤外線効果を有するフェライトボール、マイナスイオンを発生させる炭チタンボール、抗菌作用を有する銀添えボール、軟水効果を有するマグネットなど使用することができる。
【００２８】
手動ポンプ機構８は、図４に示すように、中空に形成された伸縮性を有する蛇腹状本体部３２と、本体部３２を伸縮させるためのハンドル３３と、本体部３２を台座１０に固定するための支持台３４と、支持台３４の底面に固定されて台座１０の底側スペースに位置付けられる凸状パイプ３５と、凸状パイプ３５に設けられた本体部３２の伸縮に伴って開閉する吸込弁３６及び吐出弁３７とから構成されている。支持台３４には、上下に貫通する通気路３８が形成されており、通気路３８の下部は台座１０の底側スペースに突出している。そして、本体部３２は、下部に設けられた通気口３９を支持台３４の通気路３８に上方から差し込むことによって支持台３４に固定されている。
【００２９】
ハンドル３３は、本体部３２の上方を左右方向に伸びるように配置されており、台座１０から立ち上がる支柱４０に対して一端側を回転可能に軸止めしてなる支点と、本体部３２から上方に突出した連結片４１に対して中間位置を回転可能に軸止めしてなる作用点とを有している。そして、ハンドル３３の他端側は、本体ケース９における前パネル１１の側面に設けられた縦溝４２（図２参照）から外部に突出している。従って、ハンドル３３の他端側を前パネル１１の縦溝４２に沿うように上下に往復させることにより、ハンドル３３が支点を中心として上下に揺動し、これに伴ってハンドル３３の中間位置に軸止めされた本体部３２が上下に伸縮動するようになっている。
【００３０】
また、凸状パイプ３５は、支持台３４の通気路３８と連通する通気口４３と、濾過部７から伸びる連結パイプ３０と連通する吸込口４４と、浴槽２へ伸びる排水パイプ４と連通する吐出口４５とを有している。そして、吸込口４４には、濾過部７側から流れ込む流水のみを通過させる吸込弁３６が設けられており、吐出口４５には、浴槽２側へ流れ出す流水のみを通過させる吐出弁３７が設けられている。従って、凸状パイプ３５は、濾過部７から浴槽２へのみ流水が流れる構造になっている。
【００３１】
本実施の形態に係る浴槽用循環濾過装置１においては、循環ポンプ５の上方にバッテリ６を位置付けると共に、濾過部１０を並列させた一対の濾過タンク１９ａ，１９ｂによって構成し、また、吸水用及び排水用の各パイプを台座１０の底側スペースに位置付けたので、本体ケース９の空間を無駄なく利用できるから、装置をコンパクト化することができる（図２参照）。従って、一般家庭の風呂場に設置しても邪魔にならない。
【００３２】
次に、本実施の形態に係る浴槽用循環濾過装置１の使用方法を説明する。
【００３３】
先ず、循環ポンプ５を駆動させる前に循環ポンプ５内を呼び水で満たすため、手動ポンプ機構８を駆動させる。この時、ハンドル３３の他端側を本体ケース９の縦溝４２に沿わせて下方へ移動させると、手動ポンプ機構８の本体部３２が縮む。これに伴って凸状パイプ３５の吸込弁３６が閉鎖状態になると共に吐出弁３７が開放状態となり、本体部３２内の空気が浴槽２へ抜ける。また、ハンドル３３の他端側を本体ケース９の縦溝４２に沿わせて上方へ移動させると、手動ポンプ機構８の本体部３２が伸びる。これに伴って凸状パイプ３５の吸込弁３６が開放状態になると共に吐出弁３７が閉鎖状態となり、装置１内の空気が本体部３２内へ進入する。従って、この動作を繰り返すことにより、装置１内の空気が浴槽２へ抜け出し、浴槽２の貯め湯が吸入パイプ３から循環ポンプ５内へ吸い上げられて循環ポンプ５内が呼び水で満たされる。
【００３４】
次に、循環ポンプ５内が呼び水によって満たされたことを確認した後、循環ポンプ５を駆動させると、浴槽２の貯め湯が装置１内を循環し始める。循環ポンプ５から濾過部１０へと流れ込んだ貯め湯は、一方の濾過タンク１９ａ内を下方から上方へ移動する。続いて、一方の濾過タンク１９ａの上部に達した貯め湯は、連絡パイプ２７を介して他方の濾過タンク１９ｂへ移動する。そして、他方の濾過タンク１９ｂ内を上方から下方へ移動する。この間に両濾過タンク１９ａ，１９ｂの濾過材２３によって貯め湯の雑菌や塩素などが除去される。
【００３５】
次に、濾過部１０を通過した貯め湯は、凸状パイプ３５を通過した後、排水パイプ４を通過して浴槽２へと戻る。なお、この時、凸状パイプ３５の吸込弁３６及び吐出弁３７は共に貯め湯の流力によって開放状態となっている。
【００３６】
なお、濾過材２３を変更する場合には、本体ケース９の蓋体１４を取り外すことによって両濾過タンク１９ａ，１９ｂのキャップ２２が現れるので、キャップ２２を取り外して外装ケース２０から使用済の濾過材２３を抜き取って把手３１を取り外し、その把手３１を新しい濾過材２３へ付け替えて外装ケース２０へ収納すればよい。
【００３７】
本実施の形態における手動ポンプ機構８においては、凸状パイプ３５の吸込口４４と吐出口４５とにそれぞれ吸込弁３６と吐出弁３７とを設けたが、本体部に二つのパイプを連通させて濾過部１０へ伸びる一方のパイプに吸込弁３６を設けると共に浴槽２へ伸びる他方のパイプに吐出弁３７を設けてもよい。
【００３８】
また、吸水パイプ３にフィルタを設けることによって、循環ポンプへ流れ込む貯め湯から比較的大きなゴミを取り除くことができる。
【００３９】
実施の形態２．
【００４０】
本実施の形態は前記実施の形態１における手動ポンプ機構の変形例であり、図５は本実施の形態に係る手動ポンプ機構を示した側面図である。この図において、図１〜図４と同一符号は同一又は相当部分を示している。
【００４１】
本実施の形態に係る手動ポンプ機構８は、図５に示すように、ハンドル３３が、台座１０から立ち上がる支柱４０に対して中間位置を回転可能に軸止めしてなる支点と、本体部３２から上方に突出した連結片４１に一端側を回転可能に軸止めしてなる作用点とを有している。そして、ハンドル３３の他端側を往復させることにより、ハンドル３３が支点を中心としてシーソー状に揺動し、これに伴ってハンドル３３の一端側に軸止めされた本体部３２が上下に伸縮動するようになっている。
【図面の簡単な説明】
【００４２】
【図１】実施の形態１に係る浴槽用循環濾過装置の設置状態を示す斜視図である。
【図２】図１に示す浴槽用循環濾過装置の本体ケース内部を示した分解斜視図である。
【図３】図１に示す浴槽用循環濾過装置の循環ポンプと濾過部とを示した説明図である。
【図４】図１に示す浴槽用循環濾過装置の濾過タンクと手動ポンプとを示した説明図である。
【図５】実施の形態２に係る手動ポンプ機構を示した側面図である。
【符号の説明】
【００４３】
１  浴槽用循環濾過装置
２  浴槽
３  吸水パイプ
４  排水パイプ
５  循環ポンプ
６  バッテリ
７  濾過部
８  手動ポンプ機構
９  本体ケース
１０  台座
１１  前パネル
１２  後パネル
１３  天板
１４  蓋体
１５  操作パネル
１６  吸水口
１７  排水口
１８  連結パイプ
１９  濾過タンク
２０  外装ケース
２１  開口部
２２  キャップ
２３  濾過材
２４  連結板
２５  吸水口
２６  排水口
２７  連結パイプ
２８  吸水口
２９  排水口
３０  連結パイプ
３１  把手
３２  本体部
３３  ハンドル
３４  支持台
３５  凸状パイプ
３６  吸込弁
３７  吐出弁
３８  通気路
３９  通気口
４０  支柱
４１  連結片
４２  縦溝
４３  通気口
４４  吸込口
４５  吐出口
【図１】
2006075737.tif 000003
【図２】
2006075737.tif 000004
【図３】
2006075737.tif 000005
【図４】
2006075737.tif 000006
【図５】
2006075737.tif 000007